(57)【要約】      （修正有）【課題】運動時にも通信機器送受話器を保持できるものを提供する。【解決手段】生地を袋状に縫製した中に通信機器送受話器をいれ、通信機器送受話器を入れた袋状の生地をヘッドホーン又はカチューシャ又は頭部を挟み込んで係止手段の狭着部材と装着させることにより通信機器送受話器を保持する。【選択図】図２０
0003112432.tif 000002
【実用新案登録請求の範囲】
【請求項１】
通信機器送受話器が入る袋状でヘッドホーンまたはカチューシャまたは狭着部材９と脱着可能な袋に板５を設けた通信機器送受話器の保持に関する袋
【請求項２】
開口１６の側面にマジックテープ３２ａ３２ｂを使用している請求項１の通信機器送受話器の保持に関する袋
【請求項３】
背面に長さ調節のマジックテープ３３ａ３３ｂを使用している請求項１の通信機器送受話器の保持に関する袋
【考案の詳細な説明】
【考案の詳細な説明】
【産業上の利用分野】
【０００１】この考案は通信機器送受話器の保持に関するものである
【背景技術】
【０００２】従来通信機器送受話器を保持するには服や帽子に入れ込んだ物や体の一部に装着したり頭部の狭着部材に直接巻きつけたり挟んだりした物はあったが運動時には落下し保持出来ずに不適当だった
【考案が解決しようとする課題点】
【０００３】本考案はその欠点を除いて運動時にも通信送受話器を保持出来る事を開発しようとするものである
【課題を解決するための手段】
【０００４】課題解決手段として図面から説明する
（イ）生地を袋状図４として背面の生地は二重にし生地と生地の間に板５を入れて板の下部に合わせて縫い目１４を設けて置く事により通信機器送受話器は安定する。板にはネジ穴１２を設けて置く事により人体の頭部を挟み込んで装着する部材１１とネジ止め１３する事ができ通信機器送受話器を保持する袋は狭着部材１１と固定され通信機器送受話器を保持できる。またねじ１３の取り外しにより狭着部材１１と通信機器送受話器の保持に関する袋との脱着は可能である
（ロ）正面はネット上の網生地を使用する事により通信機器送受話器の状態が常に見える事ができ開口１６から側面にマジックテープ３２ａ３２ｂを装着する事により開口を広げる事ができ通信機器送受話器の出し入れが簡単に出来る
（ハ）背面にゴム状のリボンにマジックテープ３１ａ３１ｂを装着する事により既存のヘッドホーン１２またはカチューシャと組み合わせる事が出来リボン７とつなぎ合せたクリップ６を使用する事により通信機器送受話器の保持に関する袋は落下する事はない
（ニ）背面に装着しているマジックテープ３３ａ３３ｂを着ける又は離す事により通信機器送受話器の保持に関する袋は長さを調節ができ通信機器送受話器の長さに合わせる事が出来る
【作用】
【０００５】本考案は以上の構造と手段であるからこれを使用する時は通信機器送受話器を会話しながら両手が使用でき運動していても通信機器送受話器は落下しにくい
【実施例】
【０００６】（イ）マジックテープ３１ａ３１ｂ３２ａ３２ｂ３３ａ３３ｂの変わりにボタンまたはフックでも代用できる
（ロ）生地は布地以外でも使用できる
（ハ）人体の頭部にヘッドバンド１７を巻きつけ通信機器送受話器の保持に関する袋のネジ穴１２に紐１８を通してヘッドバンド１７と結ぶ事により通信機器送受話器を会話しながら両手が使用できる。図２２
【考案の効果】
【０００７】（イ）既存のヘッドホーン又はカチューシャ、狭着部材に脱着可能に装着できる
（ロ）長さ調節ができるので幅広く使える
（ハ）通信機器送受話器が落下しにくいので運動時にも使用できる
【図面の簡単な説明】
【図１】通信機器送受話器の保持に関する袋狭着部材１１用正面図
【図２】通信機器送受話器の保持に関する袋狭着部材１１用側面図
【図３】通信機器送受話器の保持に関する袋狭着部材１１用背面図
【図４】通信機器送受話器の保持に関する袋狭着部材１１用正面斜視図
【図５】通信機器送受話器の保持に関する袋狭着部材１１用背面斜視図
【図６】通信機器送受話器の保持に関する袋ヘッドホーン又はカチューシャ用正面図
【図７】通信機器送受話器の保持に関する袋ヘッドホーン又はカチューシャ用側面図
【図８】通信機器送受話器の保持に関する袋ヘッドホーン又はカチューシャ用背面図
【図９】通信機器送受話器の保持に関する袋と狭着部材１１を装着した正面図
【図１０】通信機器送受話器の保持に関する袋と狭着部材１１を装着した側面図
【図１１】通信機器送受話器の保持に関する袋と狭着部材１１を装着した背面図
【図１２】通信機器送受話器の保持に関する袋とカチューシャを装着した正面図
【図１３】通信機器送受話器の保持に関する袋とカチューシャを装着した側面図
【図１４】通信機器送受話器の保持に関する袋とカチューシャを装着した背面図
【図１５】通信機器送受話器の保持に関する袋とヘッドホーンを装着した正面図
【図１６】通信機器送受話器の保持に関する袋とヘッドホーンを装着した側面図
【図１７】通信機器送受話器の保持に関する袋とヘッドホーンを装着した背面図
【図１８】通信機器送受話器の保持に関する袋と狭着部材１１を装着した斜視図
【図１９】通信機器送受話器の保持に関する袋とカチューシャを装着した斜視図
【図２０】通信機器送受話器の保持に関する袋とヘッドホーンを装着した斜視図
【図２１】通信機器送受話器の保持に関する袋を長さ調整しヘッドホーンを装着した斜視図
【図２２】通信機器送受話器の保持に関する袋とヘッドバンドを装着した斜視図
【符号の説明】
１                ネット
２ａ              布生地Ａ
２ｂ              布生地Ｂ
３１ａ              マジックテープ１Ａ
３１ｂ              マジックテープ１Ｂ
３２ａ              マジックテープ２Ａ
３２ｂ              マジックテープ２Ｂ
３３ａ              マジックテープ３Ａ
３３ｂ              マジックテープ３Ｂ
４                バイヤステープ
５                板
６                クリップ
７                リボン
８                黒ゴム
９                狭着部材
１０                カチューシャ
１１                ヘッドホーン
１２                ねじ穴
１３                ネジ
１４                縫い目
１５                通信機器送受話器
１６                開口
１７                ヘッドバンド
１８                紐
【図１】
0003112432.tif 000003
【図２】
0003112432.tif 000004
【図３】
0003112432.tif 000005
【図４】
0003112432.tif 000006
【図５】
0003112432.tif 000007
【図６】
0003112432.tif 000008
【図７】
0003112432.tif 000009
【図８】
0003112432.tif 000010
【図９】
0003112432.tif 000011
【図１０】
0003112432.tif 000012
【図１１】
0003112432.tif 000013
【図１２】
0003112432.tif 000014
【図１３】
0003112432.tif 000015
【図１４】
0003112432.tif 000016
【図１５】
0003112432.tif 000017
【図１６】
0003112432.tif 000018
【図１７】
0003112432.tif 000019
【図１８】
0003112432.tif 000020
【図１９】
0003112432.tif 000021
【図２０】
0003112432.tif 000022
【図２１】
0003112432.tif 000023
【図２２】
0003112432.tif 000024
【手続補正書】
【提出日】平成16年12月13日(2004.12.13)
【手続補正２】
【補正対象書類名】実用新案登録請求の範囲
【補正対象項目名】全文
【補正方法】変更
【補正の内容】
【実用新案登録請求の範囲】
【請求項１】
通信機器送受話器が入る袋状でヘッドホンまたは、カチューシャまたは、狭着部材９と着脱可能な袋に板５を設けた通信機器送受話器保持袋。
【請求項２】
開口１６の側面に面ファスナー３２ａ、面ファスナー３２ｂを使用している請求項１記載の通信機器送受話器保持袋。
【請求項３】
背面に長さ調節の面ファスナー３３ａ、面ファスナー３３ｂを使用している請求項１記載の通信機器送受話器保持袋。
【手続補正３】
【補正対象書類名】明細書
【補正対象項目名】全文
【補正方法】変更
【補正の内容】
【考案の詳細な説明】
【考案の詳細な説明】
【産業上の利用分野】
【０００１】  この考案は、  通信機器送受話器の保持に関するものである。
【背景技術】
【０００２】従来、通信機器送受話器を保持するには、服や帽子に入れ込んだ物や体の一部に装着したり頭部の狭着部材に直接巻きつけたり挟んだりした物は、あったが運動時には、落下し保持出来ずに不適当だった。
【考案が解決しようとする課題】
【０００３】本考案は、その欠点を除いて運動時にも通信機器送受話器を保持出来る事を開発しようとするものである。
【課題を解決するための手段】
【０００４】課題解決手段として図面から説明する。
（イ）生地を袋状として背面の生地は二重にし生地２ａと生地２ｂの間に板５を入れて板５の下部に合わせて縫い目１４を設けて置く事により通信機器送受話器は安定する。板５には、ネジ穴１２を設けて置く事により人体の頭部を挟み込んで装着する部材１１とネジ止めする事ができ通信機器送受話器保持袋は狭着部材１１と固定され通信機器送受話器を保持できる。またネジ１３の取り外しにより狭着部材１１と通信機器送受話器保持袋との着脱は可能である。
（ロ）正面は、ネット状の網生地を使用する事により通信機器送受話器の状態が常に見える事ができ開口１６から側面に面ファスナー３２ａ、面ファスナー３２ｂを装着する事により開口を広げる事ができ通信機器送受話器の出し入れが簡単に出来る。
（ハ）背面には、ゴム状のリボンに面ファスナー３１ａ、面ファスナー３１ｂを装着する事によりヘッドホン１２またはカチューシャ１０と組み合わせる事が出来、リボン７とつなぎ合せたクリップ６を使用する事のより通信機器送受話器保持袋は、落下する事はない。
（ニ）背面に装着している面ファスナー３３ａ、面ファスナー３３ｂにより通信機器送受話器保持袋は長さを調節ができ、通信機器送受話器の長さに合わせる事が出来る。
【作用】
【０００５】本考案は、以上の構造と手段であるからこれを使用する時は、通信機器送受話器を会話しながら両手が使用でき運動していても通信機器送受話器は落下しにくい。
【実施例】
【０００６】（イ）面ファスナー３１ａ、面ファスナー３１ｂ、面ファスナー３２ａ、面ファスナー３２ｂ、面ファスナー３３ａ、面ファスナー３３ｂの替わりにボタンまたはフックでの代用できる。
（ロ）生地は布地以外でも使用できる。
（ハ）人体の頭部にヘッドバンド１７を巻きつけ、通信機器送受話器保持袋のネジ穴１２に紐１８を通してヘッドバンド１７と結ぶ事により、通信機器送受話器を会話しながら両手が使用できる。（図２２参照）
【考案の効果】
【０００７】（イ）ヘッドホン１１又は、カチューシャ１０、または、狭着部材に着脱可能に装着できる。
（ロ）長さ調節ができるので幅広く使える。
（ハ）通信機器送受話器が落下しにくいので運動時にも使用できる。
【図面の簡単な説明】
【０００８】
【図１】  通信機器送受話器保持袋狭着部材１１用正面図
【図２】  通信機器送受話器保持袋狭着部材１１用側面図
【図３】  通信機器送受話器保持袋狭着部材１１用背面図
【図４】  通信機器送受話器保持袋狭着部材１１用正面斜視図
【図５】  通信機器送受話器保持袋狭着部材１１用背面斜視図
【図６】  正通信機器送受話器保持袋ヘッドホン又はカチューシャ用正面図
【図７】  正通信機器送受話器保持袋ヘッドホン又はカチューシャ用側面図
【図８】  正通信機器送受話器保持袋ヘッドホン又はカチューシャ用背面図
【図９】  通信機器送受話器保持袋と狭着部材１１を装着した正面図
【図１０】  通信機器送受話器保持袋と狭着部材１１を装着した側面図
【図１１】  通信機器送受話器保持袋と狭着部材１１を装着した背面図
【図１２】  通信機器送受話器保持袋とカチューシャを装着した正面図
【図１３】  通信機器送受話器保持袋とカチューシャを装着した側面図
【図１４】  通信機器送受話器保持袋とカチューシャを装着した背面図
【図１５】  通信機器送受話器保持袋とヘッドホンを装着した正面図
【図１６】  通信機器送受話器保持袋とヘッドホンを装着した側面図
【図１７】  通信機器送受話器保持袋とヘッドホンを装着した背面図
【図１８】  通信機器送受話器保持袋と狭着部材１１を装着した斜視図
【図１９】  通信機器送受話器保持袋とカチューシャを装着した斜視図
【図２０】  通信機器送受話器保持袋とヘッドホンを装着した斜視図
【図２１】  通信機器送受話器保持袋を長さ調節しヘッドホンを装着した斜視図
【図２２】  通信機器送受話器保持袋とヘッドバンドを装着した斜視図
【符号の説明】
【０００９】１      ネット
２ａ    布生地
２ｂ    布生地
３１ａ面ファスナー
３１ｂ面ファスナー
３２ａ面ファスナー
３２ｂ面ファスナー
３３ａ面ファスナー
３３ｂ面ファスナー
４      バイヤステープ
５      板
６      クリップ
７      リボン
８      黒ゴム
９      狭着部材
１０    カチューシャ
１１    ヘッドホン
１２ネジ穴
１３    ネジ
１４    縫い目
１５    通信機器送受話器
１６    開口
１７    ヘッドバンド
１８    紐
【手続補正４】
【補正対象書類名】図面
【補正対象項目名】図４
【補正方法】変更
【補正の内容】
【図４】
0003112432.tif 000025
【手続補正５】
【補正対象書類名】図面
【補正対象項目名】図５
【補正方法】変更
【補正の内容】
【図５】
0003112432.tif 000026